(57)【要約】  本発明は、移動体通信網を介して、コンテンツ・サーバから移動体端末に、ユーザがデジタル・ファイルをダウンロードするための方法に関する。該方法は、ネットワークを介して移動体端末をサーバに接続するステップと、ファイルがバックグラウンド・タスクとして暗号化されるように、ファイルをサーバから端末にダウンロードするステップと、ダウンロード動作が終了した場合に、ユーザにファイルを提示するステップとを含む。本発明の方法は、接続ステップの前に、現在の時刻が所定のタイムスロットに属していることを確認するもう１つのステップを含み、中断があった場合、ファイルの部分的バージョンを端末上に保存し、次に、ファイルの失われた部分のみをダウンロードできるようにするダウンロードの中断を制御するための機構をセットアップし、リアルタイムで帯域幅を監視し、必要に応じて、ダウンロードの一時的な中断をトリガし、ダウンロード後のファイルの提示後にユーザがコンテンツを受け入れることにより、端末からサーバへの受け入れメッセージの送信がトリガされ、端末がダウンロードしたファイルを解読し、読むことができるようにする解読メッセージのサーバから端末への返送送信がトリガされることを特徴とする。本発明は、また、本発明の方法を実行するためのシステムに関する。
2007520906.tif 000002
【特許請求の範囲】
【請求項１】
移動体通信網を介して、コンテンツ・サーバから移動体端末に、ユーザがデジタル・ファイルをダウンロードするための方法であって、
前記ネットワークを介して、前記移動体端末を前記サーバに接続するステップと、
バックグラウンド・タスクで、前記ファイルを暗号化された形態にて前記サーバから前記端末にダウンロードするステップと、
前記ダウンロード動作の終了時において、前記ユーザに前記ファイルを提示するステップとを含み、
前記接続ステップの前に、現在の時刻が所定のタイムスロット内に含まれていることを確認するステップを含むことと、
ダウンロードの中断を管理するための機構を実施することであって、該機構は、中断が生じた場合、前記ファイルの部分的バージョンを前記端末上に保存し、その後、前記ファイルの失われた部分のみをダウンロードすることを可能にし、
リアルタイムで帯域幅を監視し、必要に応じて、ダウンロードを一時的に中断させ、
ダウンロード後の前記ファイルの提示後にユーザが前記コンテンツを受け入れることによって、
前記端末から前記サーバへの受け入れデータ項目の送信がトリガされ、
返信として、前記端末が前記ダウンロードしたファイルを解読し、読むことができるようにする解読データ項目の前記サーバから前記端末への送信がトリガされることを特徴とする方法。
【請求項２】
前記所定のタイムスロットが、前記ネットワーク上の低速な汎用トラヒックに対応することを特徴とする請求項１に記載のコンテンツ・サーバから移動体端末にデジタル・ファイルをダウンロードするための方法。
【請求項３】
前記所定のタイムスロットが、前記ネットワーク上の低速なデータ・トラヒックに対応することを特徴とする請求項１に記載のコンテンツ・サーバから移動体端末にデジタル・ファイルをダウンロードするための方法。
【請求項４】
ダウンロード後の前記ファイルの提示の後で、ユーザが前記コンテンツを受け入れることにより、さらに前記サーバより前記ダウンロードに対する前記課金がトリガされることを特徴とする請求項１乃至３の何れか１項に記載のコンテンツ・サーバから移動体端末にデジタル・ファイルをダウンロードするための方法。
【請求項５】
前記移動体通信網が、第二世代または第三世代（ＧＰＲＳ、ＥＤＧＥ、ＵＭＴＳ、ＣＤＭＡ．．．）ネットワークであることを特徴とする請求項１乃至４の何れか１項に記載のコンテンツ・サーバから移動体端末にデジタル・ファイルをダウンロードするための方法。
【請求項６】
前記移動体端末が、移動体電話であることを特徴とする請求項１乃至５の何れか１項に記載のコンテンツ・サーバから移動体端末にデジタル・ファイルをダウンロードするための方法。
【請求項７】
前記移動体端末が、携帯情報端末（ＰＤＡ）であることを特徴とする請求項１乃至５の何れか１項に記載のコンテンツ・サーバから移動体端末にデジタル・ファイルをダウンロードするための方法。
【請求項８】
前記端末における前記所定のタイムスロットの更新が、前記サーバへの接続により行われることを特徴とする請求項１乃至７の何れか１項に記載のコンテンツ・サーバから移動
体端末にデジタル・ファイルをダウンロードするための方法。
【請求項９】
前記帯域幅が所定のしきい値以下になった場合には、ダウンロードを中止することがトリガされることを特徴とする請求項１乃至８の何れか１項に記載のコンテンツ・サーバから移動体端末にデジタル・ファイルをダウンロードするための方法。
【請求項１０】
前記一次的なダウンロードの中止がトリガされたある時点ｔ０から所定の時間Ｔが経過すると、前記ダウンロード動作を再開する試みがトリガされることを特徴とする請求項１乃至９の何れか１項に記載のコンテンツ・サーバから移動体端末にデジタル・ファイルをダウンロードするための方法。
【請求項１１】
少なくとも１つのコンテンツ・サーバおよび移動体通信網を介して相互に接続している移動体端末を含む、請求項１乃至１０の何れか１項に記載の前記方法を実施するためのシステム。
【発明の詳細な説明】
【技術分野】
【０００１】
本発明は、移動体通信の分野に関する。
より詳細には、本発明は、移動体電話、またはＰＤＡ（携帯情報端末）のような移動装置にファイルをダウンロードするための方法に関する。パーソナル・コンピュータ（すなわち「ＰＣ」）環境においては、ダウンロード用アプリケーションは、セッションの中断を管理するための機構を提供する。しかし、この種のアプリケーションは、移動体電話またはＰＤＡ環境用にはまだ提供されていない。
【背景技術】
【０００２】
従来技術としては、すでにの特許文献１（ベルンハルト  ワルケ（Ｂｅｒｎｈａｒｄ  Ｗａｌｋｅ）等がある。この特許文献は、携帯電話網内の異なるセルを通過するユーザに対して、マルチメディア・コンテンツを連続的に送信するための機構に関する。この機構は、主として無線接続の喪失の予想、および中断を避けるための十分なコンテンツのダウンロードを含む。この発明を使用すれば、ユーザの経路に沿ってコンテンツをダウンロードすることができる。この発明は、列車内または高速道路上にいるユーザのような予測可能な経路の場合には良好に機能する。
【０００３】
特許文献２（ノキア（Ｎｏｋｉａ））の場合には、あるシステムが、個人化したリングまたは任意の他のマルチメディア・コンテンツに関連するデータを無線携帯スキャナへ供給し、そのデータを該スキャナ上で再生することができる。この発明も、また、クライアントが最初にマルチメディア・コンテンツ（例えば、リングまたはロゴ）を表示し、このコンテンツを受け入れるか、または拒否することができ、クライアントがこのマルチメディア・コンテンツを受け入れた場合には、クライアントに課金することができるようにするシステムに関する。
【０００４】
従来技術としては、特許文献３（モトローラ（Ｍｏｔｏｒｏｌａ））も挙げられる。この発明は、時分割多元接続方式無線パケット・データ・システムまたはケーブル・モデム・アクセス・プロトコル上のセッション内で連続送信制御プロトコル接続を使用するアプリケーション・プロトコルまたはセッションを改善することができる方法に関する。この場合、一時的なブロックの流れはチェーン状に連続している。この発明の目的は、ウェブ・ページの転送を加速し、遭遇する直接アクセスの競合の数を低減することである。しかし、この発明は、移動環境においてセッションの中断を管理することはできない。
【特許文献１】ドイツ特許第ＤＥ  １００２５７２５号
【特許文献２】ＰＣＴ国際出願公開公報第ＷＯ０２／３７３６９号
【特許文献３】ＰＣＴ国際出願公開公報第ＷＯ０１／８０５１８号
【発明の開示】
【発明が解決しようとする課題】
【０００５】
本発明は、移動体端末上において、バックグラウンド・タスクにおいてダウンロードを可能にし、課金に関連する動作を行うことができるようにする方法を提案することにより、従来技術の不都合を克服するためのものである。本発明は、移動体通信網に接続している任意の移動体端末に適用することができる。好適には、この端末は、ＧＰＲＳ互換、ＥＤＧＥ互換またはＵＭＴＳ互換端末であることが好ましい。
【課題を解決するための手段】
【０００６】
従って、本発明は、その最も一般的な形の場合、移動体通信網を介してコンテンツ・サーバから移動体端末に、ユーザがデジタル・ファイルをダウンロードするための方法に関
する。該方法は、
ネットワークを介してサーバに移動体端末を接続するステップと、
バックグラウンド・タスク内で暗号化された形態でサーバから端末にファイルをダウンロードするステップと、
ダウンロード動作の終了時にユーザにファイルを提示するステップとを含み、
接続ステップの前に、現在の時刻が所定のタイムスロット内に含まれることを確認するステップを含み、
ファイルの部分的バージョンを端末上に保存し、その後、中断があった場合に、ファイルの失われた部分だけをダウンロードすることを可能にするダウンロードの中断を管理するための機構を実施し、
リアルタイムで帯域幅を監視し、必要に応じて、ダウンロードを一時的に中断し、
ダウンロード後のファイルの提示後にユーザがコンテンツを受け入れることにより、
端末からサーバへの受け入れデータ項目の送信がトリガされ、
端末が、ダウンロードしたファイルを解読し、読むことができるようにする解読データ項目のサーバから端末への送信がトリガされることを特徴とする。
【０００７】
好適には、所定のタイムスロットは、ネットワーク上の低速な汎用トラヒックに対応することが好ましい。
都合のよいことに、所定のタイムスロットは、ネットワーク上の低速データ・トラヒックに対応する。
【０００８】
好適には、ダウンロード後のファイルの提示の後でユーザがコンテンツを受け入れることにより、サーバによりダウンロードに対する課金が生じることが好ましい。
都合のよいことに、移動体通信網は、第二または第三世代（ＧＰＲＳ、ＥＤＧＥ、ＵＭＴＳ、ＣＤＭＡ．．．）のものである。
【０００９】
特定の実施形態の場合には、移動体端末は移動体電話である。
他の特定の実施形態の場合には、移動体端末は携帯情報端末（ＰＤＡ）である。
都合のよいことに、端末における所定のタイムスロットの更新は、サーバへの接続により行われる。
【００１０】
好適には、帯域幅が所定のしきい値以下になった場合には、ダウンロードの中止がトリガされることが好ましい。
一次的なダウンロードの中止がトリガされた時点ｔ０から所定の時間Ｔが経過すると、ダウンロードを再開する試みがトリガされる。
【００１１】
本発明は、また、少なくとも１つのコンテンツ・サーバ、および移動体通信網を介して相互に接続している移動体端末を含む上記方法を実施するためのシステムに関する。
添付の図面を参照しながら、本発明の実施形態のあくまで例示を目的とした下記の説明を読むことにより、本発明をよりよく理解することができるであろう。
【発明を実施するための最良の形態】
【００１２】
移動体電話網のユーザは、例えば、オーディオまたはビデオ・コンテンツのようなサービス配信マルチメディア・コンテンツに加入する。このコンテンツは、種々のクラス、すなわち、ニュース、スポーツ、レクリエーション、音楽等に分類することができる。加入者の移動体端末は、マルチメディア・コンテンツをダウンロードするための特定のソフトウェアを有する。このソフトウェアは、「バックグラウンド・タスク」で実行される。その動作は、端末の通常の使用を決して中断しないし、端末のすべての他のアプリケーションを同時に使用することができるようにする。本発明の方法を実施するこのソフトウェアは、ユーザが介入しなくても、所定の時間にダウンロード・サーバに自動的に接続するよ
うにプログラムされている。好適には、多くの場合、これらの「所定の」時間は、移動体電話網上の低速データ・トラヒックに対応することが好ましい。それ故、これらのタイムスロットを「オフピーク時間」と呼ぶことが適当である。本発明の１つの利点は、サーバに接続することによりクライアント・ソフトウェアで、「オフピーク時間」を更新することができることである。「オフピーク時間」中にダウンロードすれば、移動体電話網の使用を最適化することができる。
【００１３】
ダウンロードを行った場合、本発明の方法を実施しているソフトウェアは、ダウンロードおよびそのプロセスを監視する。いくつかの要因により、ダウンロード動作が中断する場合がある。いくつかの要因とは、
・ネットワークによりカバーされていないゾーンへの進入、
・音声呼の入呼、
・バッテリーの消尽、
・移動体通信網の飽和、
・コンテンツ・サーバの飽和
である。
【００１４】
また、例えば、セル過負荷の場合またはネットワークの通達範囲が狭い場合には、送信性能が悪影響を受ける場合がある。ソフトウェアは、また、ダウンロードの性能（流れ、データ待機時間）も監視する。性能が不適当な場合には、ソフトウェアは、後で再開するためにダウンロードの中断を指示する。本発明の主要な利点の１つは、ダウンロード動作を再開した場合、ダウンロードを最初から開始しないで済むことである。実際、すでにダウンロードしたコンテンツの一部は、移動体端末上に保存されている。ダウンロードを再開した場合、残りの部分のみがダウンロードされる。
【００１５】
移動体端末にファイル全体がダウンロードされると、ユーザは通知を受ける。サービス加入者が、使用（表示、読出し、聴取）のためにこの新しいコンテンツを受け入れると、端末はサーバにデータ項目を送信する。このデータ項目により加入者に課金することができる。このデータ項目に応じて、サーバは、移動体端末に、ダウンロードしたコンテンツをクライアントの端末において解読し、使用することができるようにする相補的データ項目を送信する。ユーザがコンテンツを受け入れることを示すデータ項目を送信せず、サービスがオペレータにより課金されない場合には、ダウンロードしたコンテンツは移動体端末上に暗号化された形態のまま残るであろう。
【００１６】
従って、本発明は、従来技術の解決方法と比較した場合、以下の多くの利点を有する。
・サービスの品質の最適化：中断があってもファイルのダウンロードを完全に行うことができる。
【００１７】
・使用できる帯域幅を最適化することができる。
ネットワークが使用されていない間にタイムスロットを使用することができる。
・ユーザが受け入れた場合のみダウンロードに課金することができる。
【００１８】
・ファイルは暗号化されているため、ダウンロードの機密保護を行うことができる。
図面を参照することにより、本発明の方法の種々のステップをよりよく理解することができるだろう。
【００１９】
図１は、初期化段階の詳細図である。その３つの基本的なステップとは、
・オフピーク・タイムスロット中に現在の時刻が含まれていることの確認、
・ダウンロードする新しいファイルの存在のチェック、
・格納スペースに関する問い合わせ
である。
【００２０】
図２は、新しいダウンロード動作中に行われる手順を示す。より詳細に説明すると、この図は、本発明の方法を実施するための時間の計算および測定の管理の重要性を示す。すでにダウンロードしたデータのサイズの計算が注目される。
【００２１】
図３は、ダウンロード動作の再開に含まれるステップを示す。
最後に、図４は、セッションの終了、特にネットワークからの切断を示す。
本発明の説明は、単に例示としてのものに過ぎない。当業者であれば、本発明の範囲から逸脱することなしに本発明の種々の代替例を実施することができることを理解することができるだろう。
【図面の簡単な説明】
【００２２】
【図１】ダウンロード動作の初期化を示す図。
【図２】新しいダウンロード動作のシーケンスを示す図。
【図３】ダウンロード動作の再開を示す図。
【図４】ダウンロード動作の再開を示す図。
【図１】
2007520906.tif 000003
【図２】
2007520906.tif 000004
【図３】
2007520906.tif 000005
【図４】
2007520906.tif 000006
【国際調査報告】
2007520906.tif 000007
2007520906.tif 000008
2007520906.tif 000009
2007520906.tif 000010
2007520906.tif 000011
2007520906.tif 000012